(57)【要約】      （修正有）【課題】長期に亘っての操業は故障も多くなって困難であり、さらには構造が複雑なため価格も高騰せざるを得ないものであったという従来の問題点を解決することができるソーラーパネルの回動架台を提供する。【解決手段】所定位置に固定され、上面に円形レールを備えた基台と、下面に前記基台の円形レール上を走行するベアリングを備え、上面に支柱を立設した回転台１３と、前記支柱でほぼ中央を支持され、かつ支柱の頂点を支軸として前記板面の両側の角度を可変とした受台１６と、該受台１６上に搭載されたソーラーパネルとを備え、前記受台１６の板面の両端に端部を固定し、前記回転台１３の下面に設けたプーリ６２上を移動可能に通したワイヤを、回転台１３の適所に設けた減速モータ６３で稼動させて、前記受台１６の角度を変えられるようにした。【選択図】図１０
2012119661.tif 000002
【特許請求の範囲】
【請求項１】
所定位置に固定され、上面に円形レールを備えた基台と、下面に前記基台の円形レール上を走行するベアリングを備え、上面に支柱を立設した回転台と、前記支柱でほぼ中央を支持され、かつ支柱の頂点を支軸として前記板面の両側の角度を可変とした受台と、該受台上に搭載されたソーラーパネルとを備え、
前記受台の板面の両端に端部を固定し、前記回転台の下面に設けたプーリ上を移動可能に通したワイヤを、回転台の適所に設けた減速モータで稼動させて、前記受台の角度を変えられるようにしたことを特徴とするソーラーパネルの回動架台。
【請求項２】
前記回転台の上面に立設した支柱は、前記回転台上面に平面方向において対向するように一対立設され、前記受台は前記一対の支柱間に差し渡し、板状の中央をその板面の両側の角度を可変に支持していることを特徴とする請求項１に記載のソーラーパネルの回動架台。
【請求項３】
前記回転台の上面に立設した支柱は、前記回転台のほぼ中央に立設され、前記受台は前記の支柱で板状の中央をその板面の両側の角度を可変に支持していることを特徴とする請求項１に記載のソーラーパネルの回動架台。
【請求項４】
前記基台が、所定の径の円形レールと、該円形レールの内周に先端が突き当たるように基台中心から放射状に伸びる支持枠を設けたことを特徴とする請求項１ないし３のいずれかに記載のソーラーパネルの回動架台。
【請求項５】
前記回転台が、下面中央に設けたピボット軸で前記基台上に回動可能に位置決めされていることを特徴とする請求項１ないし４のいずれかに記載のソーラーパネルの回動架台。
【発明の詳細な説明】
【技術分野】
【０００１】
本発明はソーラーパネルの回動架台に関し、ソーラーパネルを用いて時間の経過に応じて効率よく太陽光を受け蓄電及び給電作用を行なえることができるようにすることより、一層の効率性向上を図ることができるようにしたソーラーパネルの回動架台に関する。
【背景技術】
【０００２】
従来、自然エネルギーを利用して電力を得るものとしては、いわゆるソーラーパネル（太陽電池）や風車を用いた風力発電装置、地熱発電、波力発電、温度差発電等の存在が知られている。
このうち太陽電池は、単体となるソーラーセルを集合させてソーラーパネルを形成しており、その効率はソーラーパネルの表面をできる限り太陽光の照射方向に直角に近く設置することで高められる。
【０００３】
そのため、従来よりソーラーパネルの設置に関しては太陽追跡機能を持たせたり、各月の各時刻における太陽の位置とその太陽光の入射角度をメモリーに入力しておき、このメモリーからの出力でソーラーパネルの位置を可変とすること等の提案がなされている。
【０００４】
しかしながら、従来知られている太陽追跡機能をもたせるための架台は、構造が複雑になりやすく、維持管理が面倒になるという問題があった。
そして、ソーラーパネルの変位のための摺動箇所も数多く必要となって円滑な作動を長期に亘って故障なく維持することは困難なものとなっている。
【先行技術文献】
【特許文献】
【０００５】
【特許文献１】特開２００９−３０２１２３号公報
【特許文献２】特開２００７−２８４９５６号公報
【特許文献３】特開２００７−２０７８０１号公報
【特許文献４】特開２００７−８８３４５号公報
【特許文献５】特開２００５−３１７５８８号公報
【特許文献６】特開２００５−２６８６７１号公報
【特許文献７】特開２００５−６４１４７号公報
【特許文献８】特開２００４−２６３４７１号公報
【特許文献９】特開２００４−１４６７５９号公報
【特許文献１０】特開２００３−２２９５９４号公報
【特許文献１１】特開２００２−２１７４４０号公報
【特許文献１２】特開２０００−２４３９８３号公報
【特許文献１３】特開平１１−２０１１号公報
【特許文献１４】特開平１０−５１０１９号公報
【特許文献１５】特開平８−１７０７９０号公報
【特許文献１６】実開昭６３−１３１１５５号公報
【特許文献１７】実用新案登録第３１５７５３０号公報
【特許文献１８】実用新案登録第３１４１２２９号公報
【特許文献１９】実用新案登録第３１０１４３７号公報
【特許文献２０】実用新案登録第３０６８５６１号公報
【特許文献２１】実用新案登録第３０６０８８７号公報
【特許文献２２】実用新案登録第３０２６８７６号公報
【特許文献２３】実開昭６２−５３１５号公報
【特許文献２４】実開昭５９−１８５８５８号公報
【特許文献２５】米抄２００６／６０１８８号公報
【特許文献２６】米抄２００２／２３６３８号公報
【発明の開示】
【発明が解決しようとする課題】
【０００６】
本発明は、従来ソーラーパネルの位置を可変として効率よく太陽光を受けようとするための機構は条件的に制約が多く、複雑なものとなってしまい、長期に亘っての操業は故障も多くなって困難なものとなっており、さらには前記した複雑性のため価格も高騰せざるを得ないものであったという点を解決することができるソーラーパネルの回動架台を提供するものである。
【課題を解決するための手段】
【０００７】
この問題点を解決するために、本発明に係るソーラーパネルの回動架台は、所定位置に固定され、上面に円形レールを備えた基台と、下面に前記基台の円形レール上を走行するベアリングを備え、上面に支柱を立設した回転台と、前記支柱でほぼ中央を支持され、かつ支柱の頂点を支軸として前記板面の両側の角度を可変とした受台と、該受台上に搭載されたソーラーパネルとを備え、
前記受台の板面の両端に端部を固定し、前記回転台の下面に設けたプーリ上を移動可能に通したワイヤを、回転台の適所に設けた減速モータで稼動させて、前記受台の角度を変えられるようにしたことを特徴とするものである。
【０００８】
本発明に係るソーラーパネルの回動架台は、前記回転台の上面に立設した支柱は、前記回転台上面に平面方向において対向するように一対立設され、前記受台は前記一対の支柱間に差し渡し、板状の中央をその板面の両側の角度を可変に支持していることをも特徴とするものである。
【０００９】
本発明に係るソーラーパネルの回動架台は、前記回転台の上面に立設した支柱は、前記回転台のほぼ中央に立設され、前記受台は前記の支柱で板状の中央をその板面の両側の角度を可変に支持していることをも特徴とするものである。
【００１０】
本発明に係るソーラーパネルの回動架台は、前記基台が、所定の径の円形レールと、該円形レールの内周に先端が突き当たるように基台中心から放射状に伸びる支持枠を設けたことをも特徴とするものである。
【００１１】
本発明に係るソーラーパネルの回動架台は、前記回転台が、下面中央に設けたピボット軸で前記基台上に回動可能に位置決めされていることをも特徴とするものである。
【発明の効果】
【００１２】
本発明に係るソーラーパネルの回動架台は上記のように構成されている。
したがって、ソーラーパネルは適宜季節に合わせ、最も効率のよい方向性を保持して、必要な角度分を回動することができる。その機構や制御に関しても極めて簡易なものとすることができ、故障や誤作動も生じてしまう虞もほとんどなく価格的にも安価なものとして需要者に供給することができる。
このような本発明にあっては自らの装置にあって得られた電力を無用に消費してしまうことも少なくなり、各種の照明をはじめとする電気設備の電源として非常に大きな効力を発揮することができるものとなっている。
【００１３】
さらに、強風にあおられても操作用ワイヤとプーリとの組み合わせを採用しているため、それらの可動域の範囲内でその影響を吸収することができ、耐久性に富むソーラーパネルの回動架台を提供することができる。
【図面の簡単な説明】
【００１４】
【図１】（ａ）は本発明に係るソーラーパネルの回動架台の１実施例を示し、回動架台を構成する基台を示す平面図、（ｂ）はその側面図である。
【図２】回転台の平面図である。
【図３】その斜視図である。
【図４】その正面図である。
【図５】その側面図である。
【図６】受台の平面図である。
【図７】（ａ）は受台の斜視図、（ｂ）は受台を角度可変に保持する軸受部の側面図である。
【図８】ソーラーパネルの台板の平面図である。
【図９】本発明に係るソーラーパネルの回動架台の概略斜視図である。
【図１０】角度調整の状況の説明図である。
【図１１】本発明に係るソーラーパネルの回動架台の他の実施例を示し、受台を角度可変に保持する軸受部としてボールジョイントを採用した場合の側面図である。
【図１２】ボールジョイントのハウジングを傾斜させた状態の側面図である。
【図１３】その斜視図である。
【図１４】ハウジング部分の斜視図である。
【図１５】別の角度から見たハウジング部分の斜視図である。
【図１６】下方から見たハウジング部分の斜視図である。
【図１７】前記軸受部としてボールジョイントを採用したソーラーパネルの回動架台の角度が可変であることを示す説明図である。
【図１８】角度を９０度変えて見た状態の説明図である。
【図１９】ソーラーパネルの平面図である。
【図２０】前記ソーラーパネルの回動架台の斜視図である。
【図２１】別の角度から見た斜視図である。
【図２２】さらに別の角度から見た斜視図である。
【図２３】ソーラーパネルを裏側から見た斜視図である。
【図２４】前記軸受部としてボールジョイントを採用したソーラーパネルの回動架台の別の例を示し、回転架台の角度が可変であることを示す説明図である。
【図２５】角度を９０度変えて見た状態の説明図である。
【図２６】ソーラーパネルの平面図である。
【図２７】前記ソーラーパネルの回動架台の斜視図である。
【図２８】別の角度から見た斜視図である。
【図２９】さらに別の角度から見た斜視図である。
【図３０】ソーラーパネルを裏側から見た斜視図である。
【図３１】ソーラーパネルの支持構造を示す断面図である。
【発明を実施するための最良の形態】
【００１５】
次に、本発明に係るソーラーパネルの回動架台の好ましい実施の形態を図面を参照して説明する。
図１（ａ）および（ｂ）は、ソーラーパネルを設置する敷地や屋上、屋根等の所定位置に固定され、上面に円形レール１２を備えた基台１１を示す。
前記基台１１は、所定の径の円形レール１２と、該円形レール１２を搭載した外枠２１の内周に先端が突き当たるように基台１１中心から放射状に伸びる支持枠２２を設けることによって構成したものである。
２３はその中心位置に立設したピボット軸、２４は電源コードの挿通孔である。
【００１６】
図２ないし図５は、前記基台１１上に搭載され、下面に前記基台１１の円形レール１２上を走行するベアリング１４を備えて回転自在となっており、かつ上面には一対の支柱１５，１５を平面方向において対向するよう立設した回転台１３を示す。
前記回転台１３は、円形の外枠３１と、その中心から放射状に伸びる支持枠３２を設けることによって構成したものである。
そして前記一対の支柱１５，１５はそれぞれ、前記外枠３１上に向かい合う形で立設され、その上端から両側の外枠３１および支持枠３２上に斜めに補強アーム３３ａ，３３ｂ，３３ｃが取り付けてある。
図３において、３４はその中心位置に垂設した軸筒であり、前記ピボット軸２３にはめ込んで基台１１と回転台１３との位置決めをするものであり、３５は電源コードの挿通孔である。
【００１７】
図６および図７（ａ），（ｂ）は、前記回転台１３上の一対の支柱１５，１５間に差し渡して板状の中央を支持され、かつ一対の支柱１５，１５の頂点を支軸として前記板面の両側の角度を可変とした受台１６を示すものである。
前記受台１６は、正方形の外枠４１に縦横の支持枠４２を設け、また前記正方形の外枠４１からその対角線を牽引ワイヤ４３で連結することによって構成したものであり、こうすることによって受台１６の軽量化を図っている。
なお前記受台１６は、図７（ｂ）に示す前記回転台１３上の支柱１５，１５の頂点との間に設けた軸受構造４４を介して、前記受台１６の板面の両側の角度を可変に支持されている。
【００１８】
図８は、ソーラーパネルの台板１７を示すものである。
前記台板１７は、正方形の外枠５１に縦横の支持枠５２を複数設け、これを４つ並置して１つのユニット５０を構成するとともに、前記正方形の外枠５１からその対角線を牽引ワイヤ５３で連結したものであり、こうすることによって台板１７の軽量化を図っている。
【００１９】
図９はソーラーパネルの回動架台の完成状態を示すものである。
すなわち、先ず基台１１を屋根１０等の上に長さを調整した支持脚１１ａを介して固定する。
そして、下面に設けたベアリング１４を前記基台１１の円形レール１２と位置合わせしながら、ピボット軸２３に軸筒３５をはめ込んで、前記基台１１上に回転台１３を回転自在に搭載する。
次いで、前記受台１６を前記回転台１３上の一対の支柱１５，１５間に差し渡し、かつ一対の支柱１５，１５の頂点の軸受構造４４で前記板面の両側の角度を可変にした状態で、受台１６の板状の中央を支持するよう取り付ける。
最後に、受台１６の上面にソーラーパネルの台板１７を取り付けてソーラーパネルの回動架台が完成する。
【００２０】
図において６１は操作用ワイヤであり、前記回転台１３の下面に設けたプーリ６２上を走行して、ソーラーパネルの角度調整するようになっている。６３は、前記回転台１３の適所に設けた減速モータ、６４は前記操作用ワイヤ６１の端部に接続したスプリングである。
また、６５は前記回転台１３と受台１６との間に差し渡したショックアブソーバで、図では部分的にスプリング６６が取り付けてある。
したがって、強風の場合等においては前記操作用ワイヤ６１のスプリング６４で操作用ワイヤ６１、ひいては前記回転台１３や受台１６に無理な負荷がかからないようになっている。また前記ショックアブソーバ６５は、突風等で前記操作用ワイヤ６１の可動域を越えるような負荷がかかりそうになった場合に、その負荷を軽減するためのものである。
【００２１】
さらに、前記基台１１上に回転自在に搭載した回転台１３は、太陽光の向きにしたがって回転するよう自動制御（回転台１３の駆動モータ、制御盤等は既存のものを利用することができる）されるが、台風やフェーン現象による強風、その他の風が非常に強いとき、例えば風力計や風力センサ等を設置しておき、風速が予定値以上になった場合には自動的に前記回動架台、ひいてはソーラーパネルの受光面を前記風の向きに向け、例えばほぼ水平となるよう制御して、あおられないようにすることができる。なお、降雪時には、前記回動架台、ひいてはソーラーパネルの受光面を急傾斜として、降雪が自動的に滑り落ちるようにすることができる。
【００２２】
図１０はソーラーパネルの角度調整の状況を示すものである。
図において操作用ワイヤ６１は、前記受台１６の板面の両端に端部を固定し、前記回転台１３の下面に設けたプーリ６２上を移動可能に通してあるので、前記回転台１３の適所に設けた減速モータ６３を稼動して該ワイヤ６１を走行させることができるようになっている。
したがって、前記減速モータ６３を稼動させれば、前記受台１６の角度を例えば０°〜４５°の範囲で調整することができ、好ましくは５°単位で各段階ごとに、あるいは無段階で適宜変えることができるのである。
もちろん、前記減速モータ６３の制御はソーラーパネルの回動架台ごとであっても、複数のソーラーパネルの回動架台を一括で行ってもよい。また、遠隔制御も可能である。
【００２３】
本発明に係るソーラーパネルの回動架台は上記のように構成されている。
したがって、ソーラーパネルは適宜季節に合わせ、最も効率のよい方向性を保持して、必要な角度分を回動することができる。その機構や制御に関しても上述のように極めて簡易なものとすることができ、故障や誤作動も生じてしまう虞もほとんどなく価格的にも安価なものとして需要者に供給することが可能である。
【００２４】
さらに、多少の強風にあおられた場合であっても、ワイヤ６１とプーリ６２との組み合わせ、および前記スプリング６６を具備したショックアブソーバ６５を採用しているため、それらの可動域の範囲内でその影響を吸収することができ、耐久性に富むソーラーパネルの回動架台を提供することができる。
【００２５】
図１１ないし図１６は、本発明に係るソーラーパネルの回動架台の他の実施例を示し、軸受部としてボールジョイント７０を採用した場合を説明するためのものである。
図１１において、後述の支柱の上端に取り付けられた天板７１には支軸７２の下端がはめ込まれてナット７３で固定されている。また支軸７２の上端には球面部７４が一体的に形成されている。
そして、図１２ないし図１４に示すように、前記球面部７４にはハウジング７５が角度可変に装着されている。このハウジング７５は円弧状断面のハウジング本体７６と、該ハウジング本体７６の前面にボルトナット７８を介して、前記ハウジング７５から球面部７４を抜止めするためのリング状の抜止め枠７７が固定されている。
したがって、ボールジョイント７０のハウジング７５を支軸７２に対して約４５°まで傾斜させることができる。
なお、ボールジョイント７０の構造は前記実施例に限定されるものではなく、例えば前記ハウジング７５が球面部７４をほぼ覆うような構造であってもよいことはもちろんである。
【００２６】
図１５および図１６は前記ハウジング７５の構造を説明するためのものであり、図１５および図１６に示すように該ハウジング本体７６の後面には円弧状の外周に周壁７９が立設されている。
したがってこの周壁７９を利用することにより、ボールジョイント７０上にソーラーパネルを設置することができる。
【００２７】
図１７および図１８は、前記軸受部としてボールジョイント７０を採用したソーラーパネルの回動架台の角度が、所定の角度、例えば約４５°に可変であることを説明するためのものである。
前記回転台上に設置される支柱８１は、ほぼ矩形の支持枠８２の各辺の中央から斜めに立設した４箇所の単位支柱８１ａ，８１ｂ、８１ｃ、８１ｄを支持枠８２上のほぼ中央にて天板７１に取り付けることにより結束されている。
そして、前記天板７１の上面にはボールジョイント７０を介してソーラーパネル８３の架台８４が装着されている。
【００２８】
図１９ないし図２３は、前記軸受部としてボールジョイントを採用したソーラーパネルの回動架台の例を示し、ソーラーパネルの回転架台の角度が可変であることを説明するためのである。
もちろん、ソーラーパネルの回動架台の回動可能な角度は約４５°に限定されるものではない。
図１９はこの例におけるソーラーパネル８３を示し、このソーラーパネル８３は５枚の単位パネル８３ａを１列に並べて配置したものである。
そして、図２０ないし図２２のそれぞれに示すように、前記ソーラーパネル８３はボールジョイント７０を中心として所定の角度に変更することができる。
【００２９】
図２３に示すように、この５枚の単位パネル８３ａで構成されたソーラーパネル８３は、前記架台８４上に各単位パネル８３ａを小ビス等で固定される。その上で、ソーラーパネル８３の架台８４の所定位置に一端を取り付けた操作用ワイヤ８５を、ほぼ矩形の前記支持枠８２の各辺の中央から斜めに立設した４箇所の単位支柱８１ａ，８１ｂ、８１ｃ、８１ｄに沿って配設している。
なお、前記操作用ワイヤ８５をほぼ矩形の前記支持枠８２の各辺の中央に配設するため、前記４箇所の単位支柱８１ａ，８１ｂ、８１ｃ、８１ｄはほぼ矩形の前記支持枠８２の各辺の中央からややずらして配設する。
すなわち、単位支柱８１ａ，８１ｂ、８１ｃ、８１ｄを各１本で構成する場合は、前記支持枠８２の各辺の中央から斜めとなるよう配設する。また、単位支柱８１ａ，８１ｂ、８１ｃ、８１ｄを所定間隔の一対の支柱で構成する場合は、前記支持枠８２の各辺の中央から前記操作用ワイヤ８５の障害にならない間隙を空けて配設するのである。
図において８６は、前記ハウジング本体７６の後面の周壁７９に取り付けた十字状の保持アームで、この保持アーム８６を前記ソーラーパネル８３の架台８４の各フレームに沿って固定することにより、ボールジョイント７０上にソーラーパネル８３が取り付けられる。
前記操作ワイヤ８５の駆動機構は図１ないし図１０の実施例と同様とすることができる。
【００３０】
すなわち、前記ソーラーパネル８３は太陽光の向きにしたがって回転するよう自動制御されるが、台風やフェーン現象による強風、その他の風が非常に強いとき、例えば風力計や風力センサ等を設置しておき、風速が予定値以上になった場合には自動的に前記回動架台、ひいてはソーラーパネルの受光面を前記風の向きに向け、例えばほぼ水平となるよう制御して、あおられないようにすることができる。なお、降雪時には、前記回動架台、ひいてはソーラーパネルの受光面を急傾斜として、降雪が自動的に滑り落ちるようにすることができる。
【００３１】
図２４および図２５は、前記軸受部としてボールジョイント７０を採用した別の例におけるソーラーパネルの回動架台の角度が、所定の角度、例えば約４５°に可変であることを説明するためのものである。
もちろん、ソーラーパネルの回動架台の回動可能な角度は約４５°に限定されるものではない。
前記回転台上に設置される支柱９１は、ほぼ矩形の支持枠９２の各辺の中央から斜めに立設した４箇所の単位支柱９１ａ，９１ｂ、９１ｃ、９１ｄを支持枠９２上のほぼ中央にて天板７１に取り付けることにより結束されている。
そして、前記天板７１の上面にはソーラーパネル９３の架台９４が装着されている。
【００３２】
図２６ないし図２９は、前記軸受部としてボールジョイントを採用したソーラーパネルの回動架台の例を示し、ソーラーパネルの回転架台の角度が可変であることを説明するためのである。
図２６はこの例におけるソーラーパネル９３を示し、このソーラーパネル９３は１列を５枚とした単位パネル９３ａを２列に並べて配置したものである。
そして、図２７ないし図２９のそれぞれに示すように、前記ソーラーパネル９３はボールジョイント７０を中心として所定の角度に変更することができる。
【００３３】
図３０に示すように、この１列を５枚とした２列の単位パネル９３ａで構成されたソーラーパネル９３は、前記架台９４上に各単位パネル９３ａを小ビス等で固定される。その上で、ソーラーパネル９３の架台９４の所定位置に一端を取り付けた操作用ワイヤ９５を、ほぼ矩形の前記支持枠９２の各辺の中央から斜めに立設した４箇所の単位支柱９１ａ，９１ｂ、９１ｃ、９１ｄに沿って配設している。
なお、前記操作用ワイヤ９５をほぼ矩形の前記支持枠９２の各辺の中央に配設するため、前記４箇所の単位支柱９１ａ，９１ｂ、９１ｃ、９１ｄはほぼ矩形の前記支持枠９２の各辺の中央からややずらして配設する。
すなわち、単位支柱９１ａ，９１ｂ、９１ｃ、９１ｄを各１本で構成する場合は、前記支持枠９２の各辺の中央から斜めとなるよう配設する。また、単位支柱９１ａ，９１ｂ、９１ｃ、９１ｄを所定間隔の一対の支柱で構成する場合は、前記支持枠９２の各辺の中央から前記操作用ワイヤ９５の障害にならない間隙を空けて配設するのである。
図において９６は、前記ハウジング本体７６の後面の周壁７９に取り付けた十字状の保持アームで、この保持アーム９６を前記ソーラーパネル９３の架台９４の各フレームに沿って固定することにより、ボールジョイント７０上にソーラーパネル９３が取り付けられる。
前記操作ワイヤ９５の駆動機構は図１ないし図１０の実施例と同様とすることができる。
【００３４】
すなわち、前記ソーラーパネル９３は太陽光の向きにしたがって回転するよう自動制御されるが、台風やフェーン現象による強風、その他の風が非常に強いとき、例えば風力計や風力センサ等を設置しておき、風速が予定値以上になった場合には自動的に前記回動架台、ひいてはソーラーパネルの受光面を前記風の向きに向け、例えばほぼ水平となるよう制御して、あおられないようにすることができる。なお、降雪時には、前記回動架台、ひいてはソーラーパネルの受光面を急傾斜として、降雪が自動的に滑り落ちるようにすることができる。
【００３５】
図３１は、前述のソーラーパネルの具体的な支持構造を示すもので、ソーラーパネル１０１の下部の支持ブラケット１０２に弾性パッキング１０３を介してコ字状断面のスペーサ１０４が取り付けられている。また、スペーサ１０４も弾性パッキング１０３を介してソーラーパネルの架台１０５に取り付けられている。
前記コ字状断面のスペーサ１０４を弾性パッキング１０３を介してソーラーパネル１０１とソーラーパネルの架台１０５とを連結することにより、前記ソーラーパネル１０１自体が非常に剛性の高いものであっても、前記ソーラーパネルの架台１０５に風や降雪、その他の影響でたわみやねじれの作用が働いても、ソーラーパネル１０１そのものには過度の負荷を掛けることがなく、非常に耐久性のあるソーラーパネルの回動架台を提供することができる。
【産業上の利用可能性】
【００３６】
本発明に係るソーラーパネルの回動架台は上記のように構成されている。
したがって季節や緯度の影響を受けにくく、またソーラーパネルを設置する敷地や屋上、屋根等の適宜の場所に取り付けることができる。
また、サイズの大小には簡単に対応することができ、大規模なソーラー発電用として、あるいは家庭における小規模のものとしても自在に利用することができる。
【符号の説明】
【００３７】
１１  基台
１２  円形レール
１３  回転台
１４  ベアリング
１５，１５  支柱
１６  受台
１７  台板
２１  外枠
２２  支持枠
２３  ピボット軸
２４  挿通孔
３１  外枠
３２  支持枠
３３ａ，３３ｂ，３３ｃ  補強アーム
３４  軸筒
３５  挿通孔
４１  外枠
４２  支持枠
４３  ワイヤ
４４  軸受構造
５０  ユニット
５１  外枠
５２  支持枠
５３  牽引ワイヤ
６１  操作用ワイヤ
６２  プーリ
６３  減速モータ
６４  スプリング
６５  ショックアブソーバ
６６  スプリング
７０  ボールジョイント
７１  天板
７２  支軸
７３  ナット
７４  球面部
７５  ハウジング
７６  ハウジング本体
７７  抜止め枠
７８  ボルトナット
７９  周壁
８１  支柱
８１ａ，８１ｂ、８１ｃ、８１ｄ  単位支柱
８２  支持枠
８３  ソーラーパネル
８３ａ  単位パネル
８４  架台
８５  操作用ワイヤ
８６  保持アーム
９１  支柱
９１ａ，９１ｂ、９１ｃ、９１ｄ  単位支柱
９２  支持枠
９３  ソーラーパネル
９３ａ  単位パネル
９４  架台
９５  操作用ワイヤ
９６  保持アーム
１０１  ソーラーパネル
１０２  支持ブラケット
１０３  弾性パッキング
１０４  スペーサ
１０５  ソーラーパネルの架台
【図１】
2012119661.tif 000003
【図２】
2012119661.tif 000004
【図３】
2012119661.tif 000005
【図４】
2012119661.tif 000006
【図５】
2012119661.tif 000007
【図６】
2012119661.tif 000008
【図７】
2012119661.tif 000009
【図８】
2012119661.tif 000010
【図９】
2012119661.tif 000011
【図１０】
2012119661.tif 000012
【図１１】
2012119661.tif 000013
【図１２】
2012119661.tif 000014
【図１３】
2012119661.tif 000015
【図１４】
2012119661.tif 000016
【図１５】
2012119661.tif 000017
【図１６】
2012119661.tif 000018
【図１７】
2012119661.tif 000019
【図１８】
2012119661.tif 000020
【図１９】
2012119661.tif 000021
【図２０】
2012119661.tif 000022
【図２１】
2012119661.tif 000023
【図２２】
2012119661.tif 000024
【図２３】
2012119661.tif 000025
【図２４】
2012119661.tif 000026
【図２５】
2012119661.tif 000027
【図２６】
2012119661.tif 000028
【図２７】
2012119661.tif 000029
【図２８】
2012119661.tif 000030
【図２９】
2012119661.tif 000031
【図３０】
2012119661.tif 000032
【図３１】
2012119661.tif 000033